(57)【要約】【課題】  切り離し処理に起因する起動時の遅延を抑制しつつ、切り離し処理の発生頻度を減らして不必要なユーザー利便性の低下を抑制する。【解決手段】  制御部４６は、（ａ）状態判定部４５により特定の機器の起動時に特定の機器が使用不可状態であると判定されても特定の機器を切り離し状態にはせずに、特定の機器が使用不可状態であることを示す機器状態データ１５ａを所定の記憶装置１５に記憶し、（ｂ）機器状態データ１５ａに基づいて、特定の機器が起動時に使用不可状態であったと判定した場合、状態判定部４５により現時点で特定の機器が使用不可状態であると判定されたときには、特定の機器を切り離し状態とし、状態判定部４５により現時点で特定の機器が使用不可状態であると判定されなかったときには、特定の機器を切り離し状態とはしない。【選択図】  図１
2019005978.tif 000002
【特許請求の範囲】
【請求項１】
特定の機器が使用可能状態であるか使用不可状態であるかを判定する状態判定部と、
前記特定の機器の起動時に実行される第１処理および前記特定の機器の起動後においてユーザーにより選択された特定の処理に前記特定の機器が要求される場合に実行される第２処理を実行する制御部とを備え、
前記制御部は、（ａ）前記第１処理において、前記状態判定部により前記特定の機器の起動時に前記特定の機器が使用不可状態であると判定されても前記特定の機器を切り離し状態にはせずに、前記特定の機器が使用不可状態であることを示す機器状態データを所定の記憶装置に記憶し、（ｂ）前記第２処理において、前記機器状態データに基づいて、前記特定の機器が起動時に使用不可状態であったと判定した場合、前記状態判定部により現時点で前記特定の機器が使用不可状態であると判定されたときには、前記特定の機器を切り離し状態とし、前記状態判定部により現時点で前記特定の機器が使用不可状態であると判定されなかったときには、前記特定の機器を切り離し状態とはせず、
前記切り離し状態は、前記特定の機器が使用されないようにユーザーによる前記特定の処理の選択を禁止している状態であること、
を特徴とする画像形成装置。
【請求項２】
前記機器状態データは、所定の不揮発性の記憶装置に記憶され、さらに、前記切り離し状態にある前記特定の機能を示し、
前記制御部は、（ａ）前記状態判定部により起動時に前記特定の機器が使用可能状態であると判定された場合において、前記不揮発性の記憶装置における前記機器状態データにより前記特定の機器が切り離し状態にあることが示されているときには、前記特定の機器の前記切り離し状態を解除し、（ｂ）前記状態判定部により起動時に前記特定の機器が使用不可状態であると判定された場合において、前記不揮発性の記憶装置における前記機器状態データにより前記特定の機器が切り離し状態にあることが示されているときには、前記特定の機器の前記切り離し状態を継続すること、
を特徴とする請求項１記載の画像形成装置。
【請求項３】
前記特定の機器は、画像読取部を含み、
前記状態判定部は、前記画像読取部の結露を検出すると、前記画像読取部が使用不可状態であると判定すること、
を特徴とする請求項１記載の画像形成装置。
【請求項４】
前記特定の機器は、通信装置を含み、
前記状態判定部は、前記通信装置の通信エラーを検出すると、前記通信装置が使用不可状態であると判定すること、
を特徴とする請求項１記載の画像形成装置。
【請求項５】
前記特定の機器は、当該画像形成装置の起動時または当該画像形成装置のスリープモードから通常動作モードへの復帰時に、起動することを特徴とする請求項１から請求項４のうちのいずれか１項記載の画像形成装置。
【請求項６】
前記制御部は、前記特定の機器への電源供給停止後、当該特定の機器が所定の時間が経過する前に起動する場合、前記第１処理を実行しないことを特徴とする請求項１から請求項５のうちのいずれか１項記載の画像形成装置。
【請求項７】
前記制御部は、前記特定の機器の起動後、既に前記第２処理が実行されている場合には、前記第２処理を実行しないことを特徴とする請求項１から請求項６のうちのいずれか１項記載の画像形成装置。
【発明の詳細な説明】
【技術分野】
【０００１】
本発明は、画像形成装置に関するものである。
【背景技術】
【０００２】
画像形成装置には、ある一部の機能において不具合が検出された場合、その機能の切り離し処理を実施し、その機能を使用不可状態とするとともに、その他の機能については使用可能状態とするものがある。
【０００３】
ある画像形成装置は、オプション機器において不具合を検出すると、再起動を行い、再起動後に、オプション機器が正常動作しない場合には、そのオプション機器の切り離し処理を実行している（例えば特許文献１参照）。
【先行技術文献】
【特許文献】
【０００４】
【特許文献１】特開２０１２−５１２０５号公報
【発明の概要】
【発明が解決しようとする課題】
【０００５】
しかしながら、上述の画像形成装置では、例えば起動時に不具合が検出されると、再起動が実行されるため、オプション機器を使用しないユーザーでも、切り離し処理が実行されるまで、画像形成装置が使用可能になるまでに長時間待たされてしまう。
【０００６】
本発明は、上記の問題に鑑みてなされたものであり、切り離し処理に起因する起動時の遅延を抑制しつつ、切り離し処理の発生頻度を減らして不必要なユーザー利便性の低下を抑制する画像形成装置を得ることを目的とする。
【課題を解決するための手段】
【０００７】
本発明に係る画像形成装置は、特定の機器が使用可能状態であるか使用不可状態であるかを判定する状態判定部と、前記特定の機器の起動時に実行される第１処理および前記特定の機器の起動後においてユーザーにより選択された特定の処理に前記特定の機器が要求される場合に実行される第２処理を実行する制御部とを備える。前記制御部は、（ａ）前記第１処理において、前記状態判定部により前記特定の機器の起動時に前記特定の機器が使用不可状態であると判定されても前記特定の機器を切り離し状態にはせずに、前記特定の機器が使用不可状態であることを示す機器状態データを所定の記憶装置に記憶し、（ｂ）前記第２処理において、前記機器状態データに基づいて、前記特定の機器が起動時に使用不可状態であったと判定した場合、前記状態判定部により現時点で前記特定の機器が使用不可状態であると判定されたときには、前記特定の機器を切り離し状態とし、前記状態判定部により現時点で前記特定の機器が使用不可状態であると判定されなかったときには、前記特定の機器を切り離し状態とはしない。ここで、前記切り離し状態は、前記特定の機器が使用されないようにユーザーによる前記特定の処理の選択を禁止している状態である。
【発明の効果】
【０００８】
本発明によれば、切り離し処理に起因する起動時の遅延を抑制しつつ、切り離し処理の発生頻度を減らして不必要なユーザー利便性の低下を抑制する画像形成装置が得られる。
【０００９】
本発明の上記又は他の目的、特徴および優位性は、添付の図面とともに以下の詳細な説明から更に明らかになる。
【図面の簡単な説明】
【００１０】
【図１】図１は、本発明の実施の形態に係る画像形成装置の電気的構成を示すブロック図である。
【図２】図２は、図１に示す画像形成装置の起動時またはスリープモードからの復帰時の動作について説明するフローチャートである。
【図３】図３は、図１に示す画像形成装置のジョブ実行時の動作について説明するフローチャートである。
【発明を実施するための形態】
【００１１】
以下、図に基づいて本発明の実施の形態を説明する。
【００１２】
図１は、本発明の実施の形態に係る画像形成装置の電気的構成を示すブロック図である。図１に示す画像形成装置は、プリンター、デジタル複合機などといった装置である。
【００１３】
図１に示す画像形成装置は、ユーザーインターフェイス１１、画像読取部１２、印刷部１３、コントローラー１４、記憶装置１５、通信装置１６、およびファクシミリ装置１７を備える。
【００１４】
ユーザーインターフェイス１１は、ユーザーに対して各種情報を表示する液晶ディスプレイなどといった表示装置１１ａと、ユーザー操作を検出するキー、タッチパネルなどの入力装置１１ｂとを備える。
【００１５】
画像読取部１２は、原稿を内蔵の光学系を使用してスキャンし、原稿画像の画像データを生成する内部装置である。印刷部１３は、画像データに基づく画像を、電子写真方式などで記録用紙などに印刷する内部装置である。
【００１６】
コントローラー１４は、ユーザーインターフェイス１１、画像読取部１２、印刷部１３、通信装置１６、ファクシミリ装置１７などの内部装置を制御するとともに、画像処理などのデータ処理を実行する。コントローラー１４は、例えばＡＳＩＣ（Application Specific Integrated Circuit）や、制御プログラムに従って動作するコンピューターなどで実現される。
【００１７】
記憶装置１５は、ハードディスク、不揮発性メモリーなどの不揮発性の記憶装置であって、各種データや制御プログラムを記憶する。例えば、記憶装置１５には、上述の制御プログラムや当該画像形成装置の機器状態データが記憶される。
【００１８】
通信装置１６は、ネットワークインターフェイスなどのデータ通信を行う内部装置である。ファクシミリ装置１７は、電話回線を介してファクシミリ通信を行う内部装置である。
【００１９】
そして、コントローラー１４は、画像読取処理部４１、印刷処理部４２、センド処理部４３、ファクシミリ処理部４４、状態判定部４５、および制御部４６として動作する。
【００２０】
画像読取処理部４１は、画像読取部１２を制御して、画像読取部１２から原稿画像の画像データを取得する。印刷処理部４２は、印刷部１３を制御して、印刷部１３に画像を印刷させる。センド処理部４３は、通信装置１６を制御して、画像読取処理部４１により取得された画像データなどを所定の送信先へ送信する。ファクシミリ処理部４４は、ファクシミリ装置１７を制御してファクシミリ信号の送受信を実行するとともに、原稿画像の画像データに基づくファクシミリ信号の生成、受信したファクシミリ信号に基づく画像データを生成などを実行する。
【００２１】
状態判定部４５は、特定の機器が使用可能状態であるか使用不可状態であるかを判定する。ここで、特定の機器とは、上述の内部装置や図示せぬオプション機器（フィニッシャーなど）である。また、使用不可状態とは、故障などで、サービスパーソンなどではなく一般ユーザーによる通常の手動作業（例えば消耗品の補充や交換など）によって解消されないものである。
【００２２】
例えば、状態判定部４５は、画像読取部１２内の光学系の結露を検出したり、通信装置１６の通信エラー（例えば、ネットワークには物理的に接続されているが、所定のプロトコルでの通信相手からの応答がない状態など）を検出する。
【００２３】
制御部４６は、上述の内部装置を制御するとともに、画像読取処理部４１、印刷処理部４２、センド処理部４３、ファクシミリ処理部４４、および状態判定部４５を制御してジョブ（つまり、特定の処理）を実行する。
【００２４】
また、制御部４６は、特定の機器の起動時に実行される第１処理、および特定の機器の起動後においてユーザーにより選択された特定の処理（各種ジョブ）に特定の機器が要求される場合に実行される第２処理を実行する。
【００２５】
なお、当該特定の機器は、当該画像形成装置の起動時または当該画像形成装置のスリープモードから通常動作モードへの復帰時に、起動する。また、制御部４６は、特定の機器への電源供給停止後、当該特定の機器が所定の時間が経過する前に起動する場合、第１処理を実行しないようにしてもよい。また、制御部４６は、特定の機器の起動後、既に第２処理が実行されている場合には、第２処理を実行しないようにしてもよい。
【００２６】
具体的には、制御部４６は、（ａ）第１処理において、状態判定部４５により特定の機器の起動時に特定の機器が使用不可状態であると判定されても特定の機器を切り離し状態にはせずに、特定の機器が使用不可状態であることを示す機器状態データ１５ａを所定の記憶装置１５に記憶し、（ｂ）第２処理において、機器状態データ１５ａに基づいて、特定の機器が起動時に使用不可状態であったと判定した場合、状態判定部４５により現時点で（つまり、ジョブが要求された時点で）特定の機器が使用不可状態であると判定されたときには、特定の機器を切り離し状態とし、状態判定部４５により現時点で特定の機器が使用不可状態であると判定されなかったときには、特定の機器を切り離し状態とはしない。ここで、「切り離し状態」は、特定の機器が使用されないようにユーザーによる特定の処理の選択を禁止している状態である。
【００２７】
例えば、メニュー画面において、特定の処理に対応するアイコン（ソフトキー）がグレイアウトされ、その特定の処理の選択が禁止される。切り離し状態にない処理については、ユーザーは、例えばアイコン（ソフトキー）を押下することで選択可能である。
【００２８】
また、制御部４６は、（ａ）状態判定部４５により起動時に特定の機器が使用可能状態であると判定された場合において、不揮発性の記憶装置１５における機器状態データ１５ａにより特定の機器が切り離し状態にあることが示されているときには、特定の機器の切り離し状態を解除し、機器状態データ１５ａを更新し、（ｂ）状態判定部４５により起動時に特定の機器が使用不可状態であると判定された場合において、不揮発性の記憶装置１５における機器状態データ１５ａにより特定の機器が切り離し状態にあることが示されているときには、特定の機器の切り離し状態を継続する。
【００２９】
例えば、状態判定部４５により画像読取部１２の結露が検出され、画像読取部１２が使用不可状態であると判定されると、制御部４６は、画像読取部１２を切り離し状態とし、状態判定部４５により現時点で画像読取部１２が使用不可状態であると判定されなかったときには、制御部４６は、画像読取部１２を切り離し状態とはしない。例えば画像読取部１２が切り離し状態となると、画像読取部１２を使用するコピージョブ、スキャントゥセンドジョブなどが、ユーザーにより選択できなくなる。
【００３０】
また、例えば、状態判定部４５により通信装置１６の通信エラーが検出され、通信装置１６が使用不可状態であると判定されると、制御部４６は、通信装置１６を切り離し状態とし、状態判定部４５により現時点で通信装置が使用不可状態であると判定されなかったときには、制御部４６は、通信装置１６を切り離し状態とはしない。
【００３１】
次に、上記画像形成装置の動作について説明する。
【００３２】
図２は、図１に示す画像形成装置の起動時またはスリープモードからの復帰時の動作について説明するフローチャートである。
【００３３】
画像形成装置が起動したときまたはスリープからの復帰したときに、状態判定部４５は、特定の機器の状態をチェックする（ステップＳ１）。そして、制御部４６は、状態判定部４５により使用不可状態である機器が検出されたか否かを判定する（ステップＳ２）。
【００３４】
状態判定部４５により使用不可状態である機器が検出された場合、制御部４６は、機器状態データ１５ａに基づき、その機器が切り離し状態にあるか否かを判定する（ステップＳ３）。その機器が切り離し状態にない場合には、制御部４６は、この機器について、起動時に使用不可状態を検出したことを示す機器状態データ１５ａを記憶装置１５に記憶する（ステップＳ４）。
【００３５】
一方、状態判定部４５により使用不可状態である機器が検出されなかった場合、制御部４６は、機器状態データ１５ａに基づき、切り離し状態にある機能があるか否かを判定する（ステップＳ５）。機器状態データ１５ａにおいて切り離し状態にある機器がある場合には、制御部４６は、その機器の切り離し状態を解除して機器状態データ１５ａを更新する（ステップＳ６）。
【００３６】
なお、状態判定部４５により使用不可状態である機器が検出された場合、制御部４６は、その旨をユーザーに報知しない。また、その機器の切り離し処理はこの時点では実行されないので、その機器を使用するジョブは、ユーザーにより選択可能となっている。
【００３７】
図３は、図１に示す画像形成装置のジョブ実行時の動作について説明するフローチャートである。
【００３８】
入力装置１１ｂへのユーザー操作などに基づいてジョブ実行要求を検出すると、制御部４６は、実行要求されたジョブに必要な機器を特定する（ステップＳ１１）。例えば、プリントジョブの場合には、印刷部１３が特定され、コピージョブの場合には、画像読取部１２および印刷部１３が特定され、スキャントゥセンドジョブの場合には、画像読取部１２および通信装置１６が特定される。
【００３９】
そして、制御部４６は、特定された機器について、起動時に使用不可状態が検出されているか否かを、機器状態データ１５ａに基づいて特定する（ステップＳ１２）。
【００４０】
特定された機器について、起動時に使用不可状態が検出されていない場合には、制御部４６は、その特定した機器を使用して、そのジョブを実行する（ステップＳ１３）。
【００４１】
一方、特定された機器について、起動時に使用不可状態が検出されている場合には、状態判定部４５は、特定された機器の状態をチェックし（ステップＳ１４）、制御部４６は、特定された機器について、現時点でも使用不可状態にあるか否かを判定する（ステップＳ１５）。
【００４２】
特定された機器について、現時点でも使用不可状態にある場合には、制御部４６は、その機器を切り離し状態にし、機器状態データ１５ａを更新する（ステップＳ１６）。この場合、要求されたジョブは実行されず、制御部４６は、ジョブが実行できないことを示すメッセージを表示装置１１ａに表示する。
【００４３】
一方、特定された機器について、現時点では使用不可状態にない場合には、制御部４６は、その特定した機器を使用して、そのジョブを実行する（ステップＳ１３）。
【００４４】
以上のように、上記実施の形態によれば、制御部４６は、（ａ）状態判定部４５により特定の機器の起動時に特定の機器が使用不可状態であると判定されても特定の機器を切り離し状態にはせずに、特定の機器が使用不可状態であることを示す機器状態データ１５ａを所定の記憶装置１５に記憶し、（ｂ）機器状態データ１５ａに基づいて、特定の機器が起動時に使用不可状態であったと判定した場合、状態判定部４５により現時点で特定の機器が使用不可状態であると判定されたときには、特定の機器を切り離し状態とし、状態判定部４５により現時点で特定の機器が使用不可状態であると判定されなかったときには、特定の機器を切り離し状態とはしない。ここで、切り離し状態は、特定の機器が使用されないようにユーザーによる特定の処理の選択を禁止している状態である。
【００４５】
これにより、起動時にある機器の使用不可状態が検出されてもただちにその機器を切り離さずに、その後、ジョブ開始直前に使用不可状態が再度検出されなければ、その機器を切り離さないので、ある機器で起動時に不具合が発生してもジョブ開始までに解消された場合には、その機器は切り離されない。したがって、切り離し処理に起因する起動時の遅延を抑制しつつ、切り離し処理の発生頻度を減らして不必要なユーザー利便性の低下が抑制される。
【００４６】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【産業上の利用可能性】
【００４７】
本発明は、例えば、プリンター、複合機などの画像形成装置に適用可能である。
【符号の説明】
【００４８】
１２  画像読取部（特定の機器の一例）
１３  印刷部（特定の機器の一例）
１５  記憶装置
１５ａ  機器状態データ
１６  通信装置（特定の機器の一例）
１７  ファクシミリ装置（特定の機器の一例）
４５  状態判定部
４６  制御部
【図１】
2019005978.tif 000003
【図２】
2019005978.tif 000004
【図３】
2019005978.tif 000005